(57)【要約】【課題】  レンズ支持体を安定且つ所望量だけ正確に移動させることができると共に、衝撃によってレンズ支持体の位置ずれを生じさせない強い保持力を備えたレンズ駆動装置の提供を目的としている。【解決手段】  本発明のレンズ駆動装置１は、円筒状のヨーク２と、ヨーク２内に互いに同軸的に収容され、ヨーク２の軸方向に沿って移動可能な一対の筒状のレンズ支持体４，６と、一対のレンズ支持体４，６又はヨーク２の一方に固定された円弧状又は筒状のマグネット８と、一対のレンズ支持体４，６又はヨーク２の他方に固定された円弧状又は筒状のコイル１０と、マグネット８との間で磁気的な吸引力を形成する円弧状又は筒状の磁性体１２とを備え、一対のレンズ支持体４，６は、マグネット８と磁性体１２との間に作用する磁気的な吸引力を常時受けつつ、コイル１０に流される電流とマグネット８が形成する磁界とにより誘起される電磁力によってリニアに移動される。【選択図】図２
2005250074.tif 000002
【特許請求の範囲】
【請求項１】
円筒状のヨークと、
ヨーク内に互いに同軸的に収容され、ヨークの軸方向に沿って移動可能な一対の筒状のレンズ支持体と、
一対のレンズ支持体又はヨークの一方に固定された円弧状又は筒状のマグネットと、
一対のレンズ支持体又はヨークの他方に固定された円弧状又は筒状のコイルと、
マグネットとの間で磁気的な吸引力を形成する円弧状又は筒状の磁性体と、
を備え、
一対のレンズ支持体は、マグネットと磁性体との間に作用する磁気的な吸引力を常時受けつつ、コイルに流される電流とマグネットが形成する磁界とにより誘起される電磁力によってリニアに移動されることを特徴とするレンズ駆動装置。
【請求項２】
円筒状のマグネットがヨークに固定され、円弧状のコイルおよび磁性体が一対の各レンズ支持体に固定され、
一対の各レンズ支持体は、その保持した磁性体とマグネットとの間に作用する磁気的な吸引力を互いに反対の方向で常時受けつつ、電磁力によって移動することを特徴とする請求項１に記載のレンズ駆動装置。
【請求項３】
レンズ支持体のリニアな移動を案内するガイド手段を更に備えていることを特徴とする請求項２に記載のレンズ駆動装置。
【請求項４】
ガイド手段は、ヨーク内で円弧状を成して軸方向に延びる複数の支持壁と、円弧状のコイルと筒状のレンズ支持体との間に形成され且つ対応する支持壁が貫通する円弧状の空間とから成ることを特徴とする請求項３に記載のレンズ駆動装置。
【請求項５】
円弧状のコイルがヨークに固定され、円弧状のマグネットが一対の各レンズ支持体に固定されると共に、ヨークの少なくとも一部が磁性体を形成し、
一対の各レンズ支持体は、その保持したマグネットとヨークの前記磁性体との間に作用する磁気的な吸引力を互いに反対の方向で常時受けつつ、電磁力によって移動することを特徴とする請求項１に記載のレンズ駆動装置。
【請求項６】
レンズ支持体のリニアな移動を案内するガイド手段を更に備えていることを特徴とする請求項５に記載のレンズ駆動装置。
【請求項７】
ガイド手段は、ヨーク内で円弧状を成して軸方向に延びる複数の支持壁と、円弧状のマグネットと筒状のレンズ支持体との間に形成され且つ対応する支持壁が貫通する円弧状の空間とから成ることを特徴とする請求項６に記載のレンズ駆動装置。
【請求項８】
マグネットは、レンズ支持体の移動方向に沿って配列された複数のマグネット部から成り、その配列方向で隣り合うマグネット部同士の極性が互いに異なることを特徴とする請求項１ないし請求項７のいずれか１項に記載のレンズ駆動装置。
【請求項９】
磁気的な前記吸引力を受けるレンズ支持体と当接することにより、磁性体とマグネットとを径方向で所定距離だけ離間させると共に、レンズ支持体の移動を案内するガイドシャフトを更に有していることを特徴とする請求項２ないし請求項８のいずれか１項に記載のレンズ駆動装置。
【請求項１０】
ガイドシャフトは断面が円形を成しており、レンズ支持体は、磁気的な前記吸引力によってガイトシャフトに突き当てられるその当接面が楔形状を成していることを特徴とする請求項９に記載のレンズ駆動装置。
【発明の詳細な説明】
【技術分野】
【０００１】
本発明は、デジタルカメラや携帯電話等に内蔵される携帯型小型カメラ等において用いられるズームレンズおよびオートフォーカスレンズを駆動させるためのレンズ駆動装置に係わり、特に、レンズを電磁力によってリニアに移動させることができるレンズ駆動装置に関する。
【背景技術】
【０００２】
一般に、コイルに流される電流とマグネットが形成する磁界とによって誘起される電磁力によりレンズをリニアに駆動させるレンズ駆動装置は、良く知られている。例えば、特許文献１には、ビデオカメラ等において用いられるズームレンズおよびオートフォーカスレンズを磁気的に駆動させるためのレンズ駆動装置が開示されている。
【０００３】
【特許文献１】特開２００２−２３０３７号公報
【発明の開示】
【発明が解決しようとする課題】
【０００４】
ところで、携帯電話等に内蔵されるカメラのような携帯型小型カメラ等に用いられるレンズ駆動装置においては、狭い空間内でレンズを光軸方向に安定且つ所望量だけ正確に移動させることが必要であるが、これを簡単な構造で実現することは難しい。
【０００５】
また、一般に、小型カメラ等は、ポケットやバック等に入れて持ち歩くことが多いため、携帯時（非使用時）にレンズ駆動装置が揺れや衝撃を受けることがある。このような揺れに対して、電磁力によりレンズを動かす前記レンズ駆動装置では、そのレンズ支持体が衝撃を受け易く、それによって、正確に位置決めされたレンズの位置がずれてしまう虞がある。
【０００６】
本発明は、前記事情に着目してなされたものであり、その目的とするところは、レンズ支持体を安定且つ所望量だけ正確に移動させることができると共に、衝撃によってレンズ支持体の位置ずれを生じさせない強い保持力を備えたレンズ駆動装置を提供することである。
【課題を解決するための手段】
【０００７】
請求項１に記載のレンズ駆動装置は、円筒状のヨークと、ヨーク内に互いに同軸的に収容され、ヨークの軸方向に沿って移動可能な一対の筒状のレンズ支持体と、一対のレンズ支持体又はヨークの一方に固定された円弧状又は筒状のマグネットと、一対のレンズ支持体又はヨークの他方に固定された円弧状又は筒状のコイルと、マグネットとの間で磁気的な吸引力を形成する円弧状又は筒状の磁性体とを備え、一対のレンズ支持体は、マグネットと磁性体との間に作用する磁気的な吸引力を常時受けつつ、コイルに流される電流とマグネットが形成する磁界とにより誘起される電磁力によってリニアに移動されることを特徴とする。
【０００８】
請求項２に記載の発明は、請求項１に記載の発明において、円筒状のマグネットがヨークに固定され、円弧状のコイルおよび磁性体が一対の各レンズ支持体に固定され、一対の各レンズ支持体は、その保持した磁性体とマグネットとの間に作用する磁気的な吸引力を互いに反対の方向で常時受けつつ、電磁力によって移動することを特徴とする。
【０００９】
請求項３に記載の発明は、請求項２に記載の発明において、レンズ支持体のリニアな移動を案内するガイド手段を更に備えていることを特徴とする。
【００１０】
請求項４に記載の発明は、請求項３に記載の発明において、ガイド手段は、ヨーク内で円弧状を成して軸方向に延びる複数の支持壁と、円弧状のコイルと筒状のレンズ支持体との間に形成され且つ対応する支持壁が貫通する円弧状の空間とから成ることを特徴とする。
【００１１】
請求項５に記載の発明は、請求項１に記載の発明において、円弧状のコイルがヨークに固定され、円弧状のマグネットが一対の各レンズ支持体に固定されると共に、ヨークの少なくとも一部が磁性体を形成し、一対の各レンズ支持体は、その保持したマグネットとヨークの前記磁性体との間に作用する磁気的な吸引力を互いに反対の方向で常時受けつつ、電磁力によって移動することを特徴とする。
【００１２】
請求項６に記載の発明は、請求項５に記載の発明において、レンズ支持体のリニアな移動を案内するガイド手段を更に備えていることを特徴とする。
【００１３】
請求項７に記載の発明は、請求項６に記載の発明において、ガイド手段は、ヨーク内で円弧状を成して軸方向に延びる複数の支持壁と、円弧状のマグネットと筒状のレンズ支持体との間に形成され且つ対応する支持壁が貫通する円弧状の空間とから成ることを特徴とする。
【００１４】
請求項８に記載の発明は、請求項１ないし請求項７のいずれか１項に記載の発明において、マグネットは、レンズ支持体の移動方向に沿って配列された複数のマグネット部から成り、その配列方向で隣り合うマグネット部同士の極性が互いに異なることを特徴とする。
【００１５】
請求項９に記載の発明は、請求項２ないし請求項８のいずれか１項に記載の発明において、磁気的な前記吸引力を受けるレンズ支持体と当接することにより、磁性体とマグネットとを径方向で所定距離だけ離間させると共に、レンズ支持体の移動を案内するガイドシャフトを更に有していることを特徴とする。
【００１６】
請求項１０に記載の発明は、請求項９に記載の発明において、ガイドシャフトは断面が円形を成しており、レンズ支持体は、磁気的な前記吸引力によってガイトシャフトに突き当てられるその当接面が楔形状を成していることを特徴とする。
【発明の効果】
【００１７】
請求項１に記載のレンズ駆動装置によれば、円筒状のヨーク内に、一対の円筒状のレンズ支持体が同軸的に収容されると共に、このレンズ支持体を移動させる円弧状もしくは円筒状のマグネットおよびコイルが内蔵されているため、非常にコンパクトなレンズ駆動装置を実現することができる。
【００１８】
また、レンズ支持体は、マグネットと磁性体との間に作用する磁気的な吸引力を常時受けつつ、コイルに流される電流とマグネットが形成する磁界とにより誘起される電磁力によってリニアに移動されるようになっている。このように、レンズ支持体に対して常時吸引力が作用していれば、衝撃によるレンズ支持体の位置ずれを防止できると共に、レンズ支持体の移動も安定し、レンズ支持体を所望量だけ正確に移動させることができる。すなわち、レンズ支持体の保持性および機動性に優れ、揺れや衝撃が生じた場合でもレンズ支持体の揺れやガタツキが生じ難く、耐衝撃性に優れる。したがって、フォーカスレンズ等の微妙な動きや、ズームレンズ等における倍率固定の要求を十分に満たすことができる。また、例えば、一対のレンズ支持体同士を光軸方向に沿って互いに離間して配置すると共に、各レンズ支持体にそれぞれズームレンズおよびフォーカスレンズを支持するようにすれば、自動焦点機構および倍率変更機能を兼ね備えたコンパクトなレンズ駆動装置を効率的に実現することができる。
【００１９】
また、コイルに通電して生じる電磁力によりレンズが光軸方向にリニアに移動するため、推力の方向とレンズの移動方向とが一致し、したがって、駆動損失が極めて少なくて済む。その結果、レンズの移動速度を速くでき、応答性を高めることができる。すなわち、駆動損失が少なく、応答性および機動性に優れているため、狭い空間内でレンズを光軸方向に所望量だけ効率的に移動させることができ、小型カメラへの搭載に適している。
【００２０】
請求項２に記載のレンズ駆動装置によれば、請求項１に記載の発明と同様の作用効果を得ることができると共に、ヨークに固定されるマグネットが円筒状を成し、一対の各レンズ支持体に固定されるコイルおよび磁性体が円弧状を成しているため、レンズ支持体に対して磁気的な吸引力および電磁力を効果的に作用させることができる。また、一対の各レンズ支持体に対して吸引力を互いに反対の方向で作用させることにより、レンズ支持体を支持するヨークに偏った力が働かないで済む。
【００２１】
請求項３に記載のレンズ駆動装置によれば、請求項２に記載の発明と同様の作用効果を得ることができると共に、レンズ支持体のリニアな移動を案内するガイド手段が設けられているため、レンズ支持体を安定して移動させることができる。
【００２２】
請求項４に記載のレンズ駆動装置によれば、請求項３に記載の発明と同様の作用効果を得ることができると共に、ガイド手段が、ヨーク内で円弧状を成して軸方向に延びる複数の支持壁と、円弧状のコイルと筒状のレンズ支持体との間に形成され且つ対応する支持壁が貫通する円弧状の空間とから成るため、ヨークおよびレンズ支持体の周方向のガタつきを確実に防止して、レンズ支持体のリニアな移動を確実且つ良好に実現することができる。
【００２３】
請求項５に記載のレンズ駆動装置によれば、請求項１に記載の発明と同様の作用効果を得ることができると共に、ヨークに固定されるコイルが円弧状を成し、一対の各レンズ支持体に固定されるマグネットが円弧状を成すと共に、円筒状のヨークによって磁性体が形成されているため、レンズ支持体に対して磁気的な吸引力および電磁力を効果的に作用させることができる。また、一対の各レンズ支持体に対して吸引力を互いに反対の方向で作用させることにより、レンズ支持体を支持するヨークに偏った力が働かないで済む。また、ヨークの少なくとも一部が磁性体を形成しているため、磁性体を別個に設ける必要もなくなり、レンズ駆動装置全体の小型化を図ることができる。
【００２４】
請求項６に記載のレンズ駆動装置によれば、請求項５に記載の発明と同様の作用効果を得ることができると共に、レンズ支持体のリニアな移動を案内するガイド手段が設けられているため、レンズ支持体を安定して移動させることができる。
【００２５】
請求項７に記載のレンズ駆動装置によれば、請求項６に記載の発明と同様の作用効果を得ることができると共に、ガイド手段が、ヨーク内で円弧状を成して軸方向に延びる複数の支持壁と、円弧状のマグネットと筒状のレンズ支持体との間に形成され且つ対応する支持壁が貫通する円弧状の空間とから成るため、ヨークおよびレンズ支持体の周方向のガタつきを確実に防止して、レンズ支持体のリニアな移動を確実且つ良好に実現することができる。
【００２６】
請求項８に記載のレンズ駆動装置によれば、請求項１に記載の発明と同様の作用効果を得ることができると共に、マグネットが、レンズ支持体の移動方向に沿って配列された複数のマグネット部から成り、その配列方向で隣り合うマグネット部同士の極性が互いに異なっているため、レンズ支持体の移動経路の全長にわたって常に同じ向きの電磁力（推力）を形成することができ、良好なリニア移動を実現できる。
【００２７】
請求項９に記載のレンズ駆動装置によれば、請求項２ないし請求項８のいずれか１項に記載の発明と同様の作用効果を得ることができると共に、磁気的な前記吸引力を受けるレンズ支持体と当接することにより、磁性体とマグネットとを径方向で所定距離だけ離間させるガイドシャフトが設けられているため、マグネットと磁性体との吸着を防止できると共に、リニア移動に支障がない適度な吸引力をレンズ支持体に対して作用させることができる。また、ガイドシャフトがヨークと協働してレンズ支持体の移動を案内するため、レンズ支持体の移動が更に安定する。
【００２８】
請求項１０に記載のレンズ駆動装置によれば、請求項９に記載の発明と同様の作用効果を得ることができると共に、ガイドシャフトの断面が円形を成し、磁気的な前記吸引力によってガイトシャフトに突き当てられるレンズ支持体の当接面が楔形状を成しているため、レンズ支持体がシャフトに対して一定の圧力で接触し、レンズ支持体をガイドシャフトに沿って安定且つ滑らかに移動させることができる。
【発明を実施するための最良の形態】
【００２９】
以下、図面を参照しながら、本発明の実施形態について説明する。
【００３０】
図１〜図４には、本発明の第１の実施形態が示されている。なお、図１は本実施形態のレンズ駆動装置１の縦断面図、図２は図１のレンズ駆動装置１の分解斜視図、図３の（ａ）は図１のレンズ駆動装置を上側から見た斜視図、図３の（ｂ）はレンズ駆動装置を下側から見た斜視図、図４はガイドシャフトとレンズ支持体との当接部の要部拡大断面図をそれぞれ示している。
【００３１】
本実施形態に係るレンズ駆動装置１は、コイル可動型のレンズ駆動装置であり、円筒状のヨーク２を備えている。ヨーク２は、ヨーク２内で軸方向に延びる一対の支持壁２ａ，２ｂを有している。これらの支持壁２ａ，２ｂは、ヨーク２の中心軸を中心とする円弧を成して互いに対向している。
【００３２】
また、ヨーク２の上端開口部２ｄと底面２ｅとにはそれぞれ円環状のスペーサ２０，２２が配設されている。これらのスペーサ２０，２２は、ヨーク２の各支持壁２ａ，２ｂが個別に挿通される一対の円弧状のスリット２０ａ，２０ａ（２２ａ，２２ａ）と、後述する一対の各ガイドシャフト３０，３２の端部を支持する一対の円形の支持孔２０ｂ，２０ｂ（２２ｂ，２２ｂ）とを有している。
【００３３】
ヨーク２内には、ヨーク２の軸方向に沿って移動可能な一対の筒状のレンズ支持体４，６が互いに同軸的に収容されている。この場合、一対のレンズ支持体４，６同士は、光軸方向に沿って互いに離間して配置されている。また、各レンズ支持体４，６は、レンズ４０を保持している。
【００３４】
また、ヨーク２の外周壁２ｃの内面には、筒状のマグネット８が固着されている。この場合、マグネット８は、レンズ支持体４，６の移動方向に沿って配列された円筒状の２つのマグネット部８ａ，８ｂから成る。これらの各マグネット部８ａ，８ｂは、その表面および裏面の極性が互いに異なっている。また、マグネット部同士８ａ，８ｂの極性もその隣り合う面同士で互いに異なっている。
【００３５】
また、一対の各レンズ支持体４，６には円弧状のコイル１０が固着されている。このコイル１０は、レンズ支持体４，６の周方向の一部に沿って延在している。また、コイル１０は、マグネット８との間で磁気的な吸引力を形成する円弧状の磁性体（本実施形態では、一対の鉄片）１２を保持している。すなわち、本実施形態では、各レンズ支持体４，６とコイル１０と磁性体１２とが組み合わされて１つの駆動体４Ａ，６Ａが形成されている。なお、図２から分かるように、一方の駆動体４Ａは、他方の駆動体６Ａを１８０度回転させて上下を逆にした形態で配置されている。したがって、一対の各レンズ支持体４，６は、その保持した磁性体１２とマグネット８との間で作用する磁気的な吸引力を互いに反対の方向で常時受けるようになる。
【００３６】
また、本実施形態では、レンズ支持体４，６のリニアな移動を案内するガイド手段が設けられている。具体的に、このガイド手段は、ヨーク２の前記支持壁２ａ，２ｂと、円弧状のコイル１０と筒状のレンズ支持体４，６との間に形成される円弧状の空間２５とから成り、各レンズ支持体４，６の空間２５に支持壁２ａ，２ｂを個別に貫通させることにより、各レンズ支持体４，６を所定の遊度をもって個別に支持して案内する。
【００３７】
また、本実施形態では、磁気的な前記吸引力を受けるレンズ支持体４，６と当接することにより、磁性体１２をマグネット８から径方向で所定距離だけ離間させる一対のガイドシャフト３０，３２が設けられている。また、これらのガイドシャフト３０，３２は、各レンズ支持体４，６に設けられた一対の貫通孔４ａ，４ａ（６ａ，６ａ）を貫通して延びると共に、その両端が各スペーサ２０，２２の支持孔２０ｂ，２０ｂ（２２ｂ，２２ｂ）に支持されている。ガイドシャフト３０，３２は、断面が円形を成しており、また、磁気的な前記吸引力によってガイトシャフト３０，３２に突き当てられるレンズ支持体４，６の貫通孔４ａ，４ａ（６ａ，６ａ）の内面部位（当接面）２９は、図４に明確に示されるように楔形状を成している。なお、ガイドシャフト３０，３２は、レンズ支持体４，６の移動を案内する案内手段としても機能するようになっている。
【００３８】
以上の構成では、コイル１０に電流を流すと、その電流とマグネット８が形成する磁界とにより誘起される電磁力によって、コイル１０を保持するレンズ支持体４，６がマグネット部８ａ，８ｂの配列方向に沿ってリニアに移動される。また、レンズ支持体４，６は、その移動時および停止時のいずれの状態においても常に、磁性体１２を介してマグネット８から磁気的な吸引力（径方向外側に向かう吸引力）を受ける。したがって、この吸引力によって生じるガイドシャフト３０，３２とレンズ支持体４，６との係合摩擦力を超える推力（電磁力）が発生するように、コイル１０に流す電流の大きさ又はマグネット８の磁力を調整すれば、吸引力を受けつつレンズ支持体４，６を磁気的に移動させることができる。
【００３９】
以上説明したように、本実施形態のレンズ駆動装置１においては、円筒状のヨーク２内に、一対の円筒状のレンズ支持体４，６が同軸的に収容されると共に、これらのレンズ支持体４，６を移動させる円筒状のマグネット８および円弧状のコイル１０が内蔵されているため、非常にコンパクトなレンズ駆動装置を実現することができる。
【００４０】
また、レンズ支持体４，６は、マグネット８と磁性体１０との間に作用する磁気的な吸引力を常時受けつつ、コイル１０に流される電流とマグネット８が形成する磁界とにより誘起される電磁力によってリニアに移動されるようになっている。このように、レンズ支持体４，６に対して常時吸引力が作用していれば、衝撃によるレンズ支持体４，６の位置ずれを防止できると共に、レンズ支持体４，６の移動も安定し、レンズ支持体４，６を所望量だけ正確に移動させることができる。すなわち、レンズ支持体４，６の保持性および機動性に優れ、揺れや衝撃が生じた場合でもレンズ支持体４，６の揺れやガタツキが生じ難く、耐衝撃性に優れる。したがって、フォーカスレンズ等の微妙な動きや、ズームレンズ等における倍率固定の要求を十分に満たすことができる。また、本実施形態のように一対のレンズ支持体４，６同士を光軸方向に沿って互いに離間して配置する構成では、各レンズ支持体４，６にそれぞれズームレンズおよびフォーカスレンズを支持するようにすれば、自動焦点機構および倍率変更機能を兼ね備えたコンパクトなレンズ駆動装置を効率的に実現することができる。
【００４１】
また、コイル１０に通電して生じる電磁力によりレンズ４０が光軸方向にリニアに移動するため、推力の方向とレンズ４０の移動方向とが一致し、したがって、駆動損失が極めて少なくて済む。その結果、レンズ４０の移動速度を速くでき、応答性を高めることができる。すなわち、駆動損失が少なく、応答性および機動性に優れているため、狭い空間内でレンズ４０を光軸方向に所望量だけ効率的に移動させることができ、小型カメラへの搭載に適している。
【００４２】
また、本実施形態では、ヨーク２に固定されるマグネット８が円筒状を成し、一対の各レンズ支持体４，６に固定されるコイル１０および磁性体１２が円弧状を成しているため、レンズ支持体４，６に対して磁気的な吸引力および電磁力を効果的に作用させることができる。また、一対の各レンズ支持体４，６に対して吸引力を互いに反対の方向で作用させることにより、レンズ支持体４，６を支持するヨーク２に偏った力が働かないで済む。
【００４３】
また、本実施形態では、レンズ支持体４，６のリニアな移動を案内するガイド手段が設けられているため、レンズ支持体４，６を安定して移動させることができる。特に、本実施形態において、前記ガイド手段は、ヨーク２内で円弧状を成して軸方向に延びる複数の支持壁２ａ，２ｂと、円弧状のコイル１０と筒状のレンズ支持体４，６との間に形成され且つ対応する支持壁２ａ，２ｂが貫通する円弧状の空間２５とから成るため、ヨーク２およびレンズ支持体４，６の周方向のガタつきを確実に防止して、レンズ支持体４，６のリニアな移動を確実且つ良好に実現することができる。
【００４４】
また、本実施形態では、マグネット８が、レンズ支持体４，６の移動方向に沿って配列された複数のマグネット部８ａ，８ｂから成り、その配列方向で隣り合うマグネット部８ａ，８ｂ同士の極性が互いに異なっているため、レンズ支持体４，６の移動経路の全長にわたって常に同じ向きの電磁力（推力）を形成することができ、良好なリニア移動を実現できる。
【００４５】
また、本実施形態では、磁気的な前記吸引力を受けるレンズ支持体４，６と当接することにより、磁性体１２とマグネット８とを径方向で所定距離だけ離間させるガイドシャフト３０，３２が設けられているため、マグネット８と磁性体１２との吸着を防止できると共に、リニア移動に支障がない適度な吸引力をレンズ支持体４，６に対して作用させることができる。また、ガイドシャフト３０，３２がヨーク２と協働してレンズ支持体４，６の移動を案内するため、レンズ支持体４，６の移動が更に安定する。
【００４６】
また、本実施形態では、ガイドシャフト３０，３２の断面が円形を成し、磁気的な前記吸引力によってガイトシャフト３０，３２に突き当てられるレンズ支持体４，６の当接面２９が楔形状を成しているため、レンズ支持体４，６がシャフト３０，３２に対して一定の圧力で接触し、レンズ支持体４，６をガイドシャフト３０，３２に沿って安定且つ滑らかに移動させることができる。
【００４７】
図５〜図８には、本発明の第２の実施形態が示されている。なお、図５は本実施形態のレンズ駆動装置１Ａの縦断面図、図６は図５のレンズ駆動装置１Ａの分解斜視図、図７の（ａ）はガイドシャフトとレンズ支持体との当接部の要部拡大断面図、図７の（ｂ）は駆動体の分解斜視図、図８の（ａ）は図４のレンズ駆動装置を上側から見た斜視図、図８の（ｂ）はレンズ駆動装置を下側から見た斜視図をそれぞれ示している。また、本実施形態において、第１の実施形態と共通する部分については、以下、同一符号を付してその説明を省略する。
【００４８】
本実施形態に係るリニア駆動装置１Ａは、マグネット可動型のレンズ駆動装置であり、円筒状のヨーク２を備えている。ヨーク２は、ヨーク２内で軸方向に延びる一対の支持壁２ａ，２ｂを有している。これらの支持壁２ａ，２ｂは、磁性体からなり、ヨーク２の中心軸を中心とする円弧を成して互いに対向すると共に、後述するマグネット５０との間で磁気的な吸引力を形成する。
【００４９】
ヨーク２内には、ヨーク２の軸方向に沿って移動可能な一対の筒状のレンズ支持体６４，６６が互いに同軸的に収容されている。この場合、一対のレンズ支持体６４，６６同士は、光軸方向に沿って互いに離間して配置されている。また、各レンズ支持体６４，６６は、レンズ４０を保持している。
また、ヨーク２の外周壁２ｃの内面には、一対の円弧状のコイル７０が固着されている。この場合、これらのコイル７０は、外周壁２ｃの周方向の一部に沿って対向して延在している。
【００５０】
また、図７の（ｂ）に明確に示されるように、一対の各レンズ支持体６４，６６は、その外周壁５２から径方向に突出する突出壁７３と、突出壁７３の外端から周方向に沿って所定長さで延在する一対のコイル支持壁５４，５４とを有している。これらのコイル支持壁５４，５４は、その端面５４ａ，５４ａ同士が対向すると共に、これらの端面５４ａ，５４ａ間にマグネット５０を隙間無く配置できる配置スペースＳを形成している。そして、この配置スペースＳにマグネット５０を配置して固着することにより、マグネット５０およびコイル支持壁５４，５４と外周壁５２との間に円弧状の空間６５が形成されるようになっている。すなわち、本実施形態では、各レンズ支持体６４，６６とマグネット５０とが組み合わされて１つの駆動体６４Ａ，６６Ａが形成されている。なお、図６から分かるように、一方の駆動体６４Ａは、他方の駆動体６６Ａを１８０度回転させて上下を逆にした形態で配置されている。したがって、一対の各レンズ支持体６４，６６は、磁性体から成るヨーク２の支持壁２ａ，２ｂとマグネット５０との間で作用する磁気的な吸引力を互いに反対の方向で常時受けるようになる。また、本実施形態において、マグネット５０は、レンズ支持体４，６の移動方向に沿って配列された円弧状の２つのマグネット部５０ａ，５０ｂから成る。これらの各マグネット部５０ａ，５０ｂは、その表面および裏面の極性が互いに異なっている。また、マグネット部同士５０ａ，５０ｂの極性もその隣り合う面同士で互いに異なっている。
【００５１】
また、本実施形態では、レンズ支持体６４，６６のリニアな移動を案内するガイド手段が設けられている。具体的に、このガイド手段は、ヨーク２の前記支持壁２ａ，２ｂと、マグネット５０およびコイル支持壁５４，５４と外周壁５２との間に形成された円弧状の前記空間６５とから成り、各レンズ支持体６４，６６の空間６５に支持壁２ａ，２ｂを個別に貫通させることにより、各レンズ支持体６４，６６を所定の遊度をもって個別に支持して案内する。
【００５２】
また、本実施形態では、磁気的な前記吸引力を受けるレンズ支持体６４，６６と当接することにより、マグネット５０を支持壁（磁性体）２ａ，２ｂから径方向で所定距離だけ離間させる一対のガイドシャフト８０，８２が設けられている。また、これらのガイドシャフト８０，８２は、各レンズ支持体４，６の突出壁７３にその長手方向に沿って形成されたガイド溝９０と係合した状態で延びると共に、その両端が各スペーサ２０，２２の支持孔２０ｂ，２０ｂ（２２ｂ，２２ｂ）に支持されている。ガイドシャフト８０，８２は、断面が円形を成しており、また、磁気的な前記吸引力によってガイトシャフト８０，８２に突き当てられるレンズ支持体４，６の突出壁７３のガイド溝９０の内面部位（当接面）９０ａは、図７の（ａ）に明確に示されるように楔形状を成している。なお、ガイドシャフト８０，８２は、レンズ支持体６４，６６の移動を案内する案内手段としても機能するようになっている。
【００５３】
以上の構成では、コイル７０に電流を流すと、その電流とマグネット５０が形成する磁界とにより誘起される電磁力によって、マグネット５０を保持するレンズ支持体６４，６６が光軸方向に沿ってリニアに移動される。また、レンズ支持体６４，６６は、その移動時および停止時のいずれの状態においても常に、支持壁２ａ，２ｂとマグネット５０との間で作用する磁気的な吸引力（径方向内側に向かう吸引力）を受ける。したがって、この吸引力によって生じるガイドシャフト８０，８２とレンズ支持体６４，６６との係合摩擦力を超える推力（電磁力）が発生するように、コイル７０に流す電流の大きさ又はマグネット５０の磁力を調整すれば、吸引力を受けつつレンズ支持体６４，６６を磁気的に移動させることができる。
【００５４】
以上説明したように、本実施形態のリニア駆動装置１Ａにおいては、ヨーク２に固定されるコイル７０が円筒状を成し、一対の各レンズ支持体６４，６６に固定されるマグネット５０が円弧状を成すと共に、円筒状のヨーク２によって磁性体が形成されているため、レンズ支持体６４，６６に対して磁気的な吸引力および電磁力を効果的に作用させることができる。また、一対の各レンズ支持体６４，６６に対して吸引力を互いに反対の方向で作用させることにより、レンズ支持体６４，６６を支持するヨーク２に偏った力が働かないで済む。また、ヨーク２の少なくとも一部が磁性体を形成しているため、磁性体を別個に設ける必要もなくなり、レンズ駆動装置全体の小型化を図ることができる。
【００５５】
また、本実施形態では、レンズ支持体６４，６６のリニアな移動を案内するガイド手段が設けられているため、レンズ支持体６４，６６を安定して移動させることができる。特に、実施形態において、前記ガイド手段は、ヨーク２内で円弧状を成して軸方向に延びる複数の支持壁２ａ，２ｂと、円弧状のマグネット５０と筒状のレンズ支持体６４，６６との間に形成され且つ対応する支持壁２ａ，２ｂが貫通する円弧状の空間６５とから成るため、ヨーク２およびレンズ支持体６４，６６の周方向のガタつきを確実に防止して、レンズ支持体６４，６６のリニアな移動を確実且つ良好に実現することができる。
【００５６】
なお、本発明は、前述した実施形態に限定されることなく、その要旨を逸脱しない範囲で種々変形して実施できることは言うまでもない。例えば、前述した実施形態のリニア駆動装置においては、被駆動体をバネ等によって移動可能に保持するようにすれば、被駆動体の安定性が更に増すため、好適である。また、前述した第１の実施形態においては、筒状のマグネット８を複数（例えば４分割）に分割することも可能である。
【図面の簡単な説明】
【００５７】
【図１】本発明の第１の実施形態に係るレンズ駆動装置の縦断面図である。
【図２】図１のレンズ駆動装置の分解斜視図である。
【図３】（ａ）は図１のレンズ駆動装置を上側から見た斜視図、（ｂ）はレンズ駆動装置を下側から見た斜視図である。
【図４】ガイドシャフトとレンズ支持体との当接部の要部拡大断面図である。
【図５】本発明の第２の実施形態に係るレンズ駆動装置の縦断面図である。
【図６】図５のレンズ駆動装置の分解斜視図である。
【図７】（ａ）はガイドシャフトとレンズ支持体との当接部の要部拡大断面図、（ｂ）は駆動体の分解斜視図である。
【図８】（ａ）は図４のレンズ駆動装置を上側から見た斜視図、（ｂ）はレンズ駆動装置を下側から見た斜視図である。
【符号の説明】
【００５８】
１，１Ａ      リニア駆動装置
２            ヨーク
４，６，６４，６６    レンズ支持体
８，５０      マグネット
１０，７０    コイル
１２          磁性体
【図１】
2005250074.tif 000003
【図２】
2005250074.tif 000004
【図３】
2005250074.tif 000005
【図４】
2005250074.tif 000006
【図５】
2005250074.tif 000007
【図６】
2005250074.tif 000008
【図７】
2005250074.tif 000009
【図８】
2005250074.tif 000010